(57)【特許請求の範囲】
【請求項１】
引出本体と、前記引出本体を引き出し可能に収納する引出収納部を備えた収納具本体と、前記引出本体の振動による飛び出しを防止するロック装置と、前記引出本体を前記引出収納部内で支持すると共に、該引出本体の出し入れを案内するように設けられた案内支持部とを備え、前記ロック装置は、前記収納具本体に設けられた規制係合部と、前記引出本体に、前記規制係合部に対して係脱するように設けられた被係合部とを備え、
前記案内支持部は、前記引出本体の引き出し方向と水平方向で直交する軸心を中心として、回転するように軸支され、回転することで、常に前記引出本体の下面と平行に接触して支持するようにされ、
前記引出本体は、引き出した前記引出本体が後方に押し込まれて収納される時、前記引出本体の前方側が下向き傾斜する方向に前記案内支持部が回転すると共に自重で下降し、収納状態において、前記規制係合部と前記被係合部とが係合して前記引出本体の引き出しを規制すると共に、前記案内支持部および引出本体の前方側が下向きに傾斜し、
前記被係合部が、前記引出本体の引き出し時、上方に持ち上げられる前記引出本体に伴って上昇することによって前記引出本体の引き出し方向が水平となる方向に回転し、前記規制係合部との係合が解除されると共に、前記引出本体の引き出し状態において、前記案内支持部および前記引出本体が水平状態となる
引出収納具。
【請求項２】
前記軸心が、前記案内支持部の前記引き出し方向中央部よりも後方側に設定されている請求項１記載の引出収納具。
【請求項３】
前記案内支持部が、すり桟である請求項１又は２記載の引出収納具。
【請求項４】
前記規制係合部を前記収納具本体の棚口桟に配置し、前記被係合部を前記引出本体の底板の前端に配置した請求項１乃至３何れか１項記載の引出収納具。
【発明の詳細な説明】
【技術分野】
【０００１】
本発明は、振動による引出本体の飛び出しを防止するロック機能を有する引出収納具に関する。
【背景技術】
【０００２】
タンス、机等の引出収納体の振動による引出本体の飛び出しを防止するロック機能を有するタンス、机等の引出収納具は、可動に設けられた係合部材が振動によって引出本体に係合することで、振動による引出本体の飛び出しを防止するロック装置を備えたものが知られている。
【０００３】
下記特許文献１に記載のものは、引出本体が挿入される引出挿入部を有する収納具本体に配設される第１のロック装置と、引出本体に配設される第２のロック装置とを備え、第１のロック装置は、引出本体の引出方向及び挿入方向の振動を感知して引出方向及び挿入方向に移動する移動体と、移動体の移動に応じて、移動体に係合可能又は係合を解除可能である係合部材と、移動体が係合部材と係合するために移動する移動方向に移動体を付勢する付勢部材と、を備え、係合部材と移動体との係合が解除された際に、係合部材が第２のロック装置と当接して、引出本体が引出挿入部から引き出されることを阻止するようになっている。
【先行技術文献】
【特許文献】
【０００４】
【特許文献１】特開２００８−５７１８１号公報
【発明の概要】
【発明が解決しようとする課題】
【０００５】
特許文献１の従来技術によると、振動を感知することによって移動する移動体に伴って、付勢部材の付勢力によって係合部材の移動体に対する係合を解除させると同時に、この係合部材を第２のロック装置に係合させることで、引出本体の引出挿入部からの飛び出しを防止することができる。また、この従来技術には、係合部材を第２のロック装置に対する係合を解除するとともに、移動体に対して係合させる操作をする手動操作部が備えられており、この手動操作部の操作によって係合部材を第２のロック装置に対する係合が解除された位置に保持する状態にすることができ、これにより、引出本体の通常の引き出し操作を行うことができる。
【０００６】
しかしながら、この特許文献１の従来技術では、係合部材の他、多数の構成部材を備えることで動作する第１のロック装置や第２のロック装置から構成されたロック装置であるため、構造が複雑になってしまう上に、ロック装置の小型化やコストの低減という点について満足できないという問題がある。また、引出本体の滑りが悪く、引き出し時においてがたつきが生じた場合に、このがたつきによる振動を感知してロック装置が誤作動してしまうという問題もあった。
【０００７】
本発明は、このような問題に対処することを課題の一例とするものである。すなわち、ロック装置を簡易な構造にすること、簡易な構造のロック装置で振動による引出本体の飛び出しを防止できること、ロック装置を簡易な構造にすることで、このロック装置の小型化や各種コストの低減ができるとともに、ロック装置の誤作動を防止できること、ロック装置の誤作動を防止することで、振動時における引出本体の飛び出しの防止及び平常時の引出本体の開閉を確実にできること、等が本発明の目的である。
【課題を解決するための手段】
【０００８】
このような目的を達成するために、本発明による引出収納具は、以下の構成を少なくとも具備するものである。
【０００９】
引出本体と、前記引出本体を引き出し可能に収納する引出収納部を備えた収納具本体と、前記引出本体の振動による飛び出しを防止するロック装置と、前記引出本体を前記引出収納部内で支持すると共に、該引出本体の出し入れを案内するように設けられた案内支持部とを備え、前記ロック装置は、前記収納具本体に設けられた規制係合部と、前記引出本体に、前記規制係合部に対して係脱するように設けられた被係合部とを備え、前記案内支持部は、前記引出本体の引き出し方向と水平方向で直交する軸心を中心として、回転するように軸支され、回転することで、常に前記引出本体の下面と平行に接触して支持するようにされ、前記引出本体は、引き出した前記引出本体が後方に押し込まれて収納される時、前記引出本体の前方側が下向き傾斜する方向に前記案内支持部が回転すると共に自重で下降し、収納状態において、前記規制係合部と前記被係合部とが係合して前記引出本体の引き出しを規制すると共に、前記案内支持部および引出本体の前方側が下向きに傾斜し、前記被係合部が、前記引出本体の引き出し時、上方に持ち上げられる前記引出本体に伴って上昇することによって前記引出本体の引き出し方向が水平となる方向に回転し、前記規制係合部との係合が解除されると共に、前記引出本体の引き出し状態において、前記案内支持部および前記引出本体が水平状態となる引出収納具である。
【００１１】
また、前記軸心が、前記案内支持部の前記引き出し方向中央部よりも後方側に設定されていることが好ましい。
【００１２】
また、前記案内支持部が、すり桟であることが好ましい。
【００１３】
また、前記規制係合部を棚口桟に配置し、前記被係合部を前記引出本体の底板の前端に配置することが好ましい。
【発明の効果】
【００１４】
このような特徴を有することで本発明は、以下の効果を奏する。すなわち、引出収納部に設けられた規制係合部と、引出本体に設けられた被係合部とが係合することで、振動による引出本体の引き出し動作を規制し、引出本体が持ち上がることにより、規制係合部と被係合部との係合が解除される構造のロック装置を備えたので、ロック装置を簡易な構造にできるとともに、簡易な構造のロック装置で振動による引出本体の飛び出しを防止できる。そして、ロック装置を簡易な構造にすることで、このロック装置の小型化や各種コストの低減ができるとともに、ロック装置の誤作動を防止できる。更に、ロック装置の誤作動を防止することで、振動時における引出本体の飛び出しの防止及び平常時における引出本体の開閉を確実にできる。
【図面の簡単な説明】
【００１５】
【図１】本発明の実施形態に係る引出収納具の一例を示す断面図であり、引出本体のロック状態を示す。
【図２】図１の（２）−（２）線断面図であり、上段側の引出本体のロック状態を示し、下段側の引出本体を引き出した状態を示す。
【発明を実施するための形態】
【００１６】
以下で説明する引出収納具は、引出本体を備えたタンス、食器棚、机、収納庫等を含む。以下で説明する振動とは、地震による振動の他、引出収納具の移動・運搬等で生じる振動を含む。
【００１７】
以下で説明する引き出し方向とは、引出本体を引き出す方向であり、この引き出し方向と反対方向を収納方向とする。以下で説明する前方とは、引き出し方向側であり、収納方向側を後方とする。以下で説明する上方及び下方とは、引き出し方向に対して高さ方向に交差する方向である。
【００１８】
以下、本発明の実施形態に係る引出収納具を図１及び図２に基づいて説明する。以下で説明する実施形態は、本発明を限定するものではない。
【００１９】
引出収納具１は、引出本体２を上下方向に沿って多段状に備えたタンスである。この引出収納具１は、具体的には、引出本体２と、引出本体２を引き出し可能に収納する引出収納部３ａを上下方向に沿って多段状に備えた収納具本体３と、引出本体２と引出収納部３ａとにわたるように設けられたロック装置４とを備えている。
【００２０】
引出本体２は、基本的には、前板２０、先板２１、端板２２、底板２３から構成される周知形態のものであり、前板２０の下端よりも下方の底板２３の前端にロック装置４の一方を構成する被係合部４ａが配置されている。
【００２１】
収納具本体３は、側板３０、天板３１、背板３２、台輪３３、棚口桟３４、すり桟３５から構成される周知形態のものであり、棚口桟３４、すり桟３５とで収納具本体３内を多段状に分割することで、多段状の引出収納部３ａが確保されている。
【００２２】
棚口桟３４には、ロック装置４の他方を構成する規制係合部４ｂが配置されている。すり桟３５は、引出本体２を引出・収納を案内するように支持する案内支持部である。
【００２３】
ロック装置４は、引出本体２側の被係合部４ａと、収納具本体３側の規制係合部４ｂとから構成されている。
【００２４】
被係合部４ａは、前板２０の下端を底板２３の下端よりも上方に位置するように取り付けることで露出した底板２３の前端であり、底板２３の前端の全域に確保されている。
【００２５】
規制係合部４ｂは、棚口桟３４の上端の中央部、且つ被係合部４ａの前方に位置するように棚口桟３４と一体に突設されており、引出本体２の全部が収納状態であるときに、被係合部４ａが規制係合部４ｂの後方に対面状に接触して係合するようになっている。
【００２６】
すなわち、この規制係合部４ｂに対する後方からの被係合部４ａの対面状の接触による係合によって、引出本体２の引き出しができないようになっており、この係合によって、振動による引出本体２の飛び出しを防止でき、しかも、子供のいたずら等による引出本体２の引き出し動作も防止できる。
【００２７】
規制係合部４ｂの高さは、引出本体２の引出収納部３ａに対する上方の遊びよりも低く設定されており、引出本体２を持ち上げることによって、被係合部４ａの下端が規制係合部４ｂの上端よりも上方に位置して、規制係合部４ｂに対する後方からの被係合部４ａの対面状の接触による係合が解除されるようになっている。また、引出本体を持ち上げた位置から下方に降ろすことで係合状態に戻すことができる。
【００２８】
すなわち、引出本体２の引き出すときにおいて、前板２０を持ち上げながら引出本体２を引き出す動作をすることで、規制係合部４ｂに対する被係合部４ａの接触による係合が解除されるとともに、被係合部４ａが規制係合部４ｂの上端を前方側に通過することによって、引出本体２を引き出すことができる。
【００２９】
また、引出本体２を後方へ押し込むことで引出収納部３ａに収納するが、このとき、被係合部４ａが規制係合部４ｂの上端を後方側に通過すると、引出本体２がその自重で下降することで、自動的に被係合部４ａが規制係合部４ｂに対して係合状態となる。
【００３０】
すなわち、引出本体２を収納するという通常の動作によって、規制係合部４ｂに対して被係合部４ａを係合させることができる。
【００３１】
すり桟３５は、引出本体２を引き出し・収納を案内するように支持する案内支持部であり、引出本体２の引き出し状態（図２において下段側の引出本体２）及び収納状態（図２において上段側の引出本体２）において、すり桟３５の支持面５０が底板２３に対して平行状態を保持することで、支持面５０の全域で底板２３を支持できるようにされている。
【００３２】
このすり桟３５は、軸心を引出本体２の引き出し方向と水平方向で直交する方向に沿わせるように側板３０から突設した支軸５１に対し、この支軸５１を回転中心として回転可能に支持され、引出本体２の収納状態において前方側が下向き傾斜し、引出本体２の引き出し状態において水平状態となるようにされている。
【００３３】
具体的には、すり桟３５は、前板２０を持ち上げることで後方側が下がる引出本体２の底板２３によって、支軸５１を境とするすり桟３５の後方側が押し下げられることで、支軸５１を回転中心としてすり桟３５の後方側が下がるように回転する。そして、この回転ですり桟３５の支持面５０の全域が水平状態となることで、この支持面５０の全域を引出本体２の底板２３に対して平行に接触させることができ、これによって、係合解除状態の引出本体２を、その底板２３が水平になるように支持することができる。このとき、規制係合部４ｂに対する被係合部４ａの係合が解除されることで、引出本体２を水平方向に引き出すことができる。
【００３４】
また、引出本体２を収納する際においては、引出本体２を下降させると、底板２３によって支軸５１を境とするすり桟３５の前方側が押し下げられて、支軸５１を回転中心としてすり桟３５の前方側が下がるように回転する。そして、この回転で支持面５０の全域が底板２３の傾斜角と同角に傾斜することで、この支持面５０の全域を係合状態の引出本体２の底板２３に対して平行に接触させることができ、これによって、係合状態の引出本体２を、その底板２３の前方側が下向き傾斜するように支持することができる。このとき、被係合部４ａが規制係合部４ｂに係合することで、引出本体２の引き出しをロック状態にすることができる。
【００３５】
このようなすり桟３５によると、引出本体２の出し入れ時において、すり桟３５が水平状態になるとともに、すり桟３５の支持面５０の全域が常に底板２３を平行に接触しているので、引出本体２をがたつきなくスムースに出し入れすることができる。
【００３６】
また、すり桟３５は、引出本体２の収納時において、前方側が下方となるように傾斜するようにしたことで、引出本体２を同様に傾斜するように支持するようにされているため、振動が作用しても、すり桟３５の重量及びすり桟３５に作用する引出本体２の重量によって、引出本体２の上昇（ロック装置４の係合解除方向）が行われ難くすることができ、これによって、振動による引出本体２の飛び出しをより確実に防止することができる。
【００３７】
支軸５１は、すり桟３５の前後方向中央部よりも後方側ですり桟３５を軸支している。このように軸支されたすり桟３５は、支軸５１を境に前方側が重くなる重量バランスとなるため、前方側が下降する方向に力が作用するようになっている。
【００３８】
すなわち、すり桟３５は、その前方側が下降する方向に回転するように力が作用しているため、引き出された引出本体２の収納時に、被係合部４ａが規制係合部４ｂよりも後方側に位置すると、すり桟３５の前方側が自動的に下降するように回転する。そして、このすり桟３５の回転に伴って、引出本体２を下降させるとともに、被係合部４ａと規制係合部４ｂとを自動的に係合状態にさせることができる。
【００３９】
すり桟３５は、回転規制部６によって、傾斜状態及び水平状態を保持するとともに、この水平状態を超える過剰な回転を防止するように、その回転量が規制されている。この回転規制部６は、支軸５１よりも前方ですり桟３５に開孔された長孔６０と、この長孔６０に嵌合するように側板３０から突設された規制軸６１とから構成されている。
【００４０】
長孔６０は、長手方向を引出本体２の上下動方向に沿う方向として開孔されている。この長孔６０の上端６０ａは、引き出し本体２が収納されている状態において、規制軸６１に接触する位置にあって、この規制軸６１に接触することによって、すり桟３５の傾斜状態を保持できる。
【００４１】
長孔６０の下端６０ｂは、引き出し本体２を持ち上げて係合解除された状態において、規制軸６１に接触する位置にあって、この規制軸６１に接触することによって、すり桟３５を水平状態にすることができるとともに、このすり桟３５の水平状態を超える過剰な回転を防ぐことができる。
【００４２】
尚、すり桟３５は、引出本体２の収納状態において水平とし、引出本体２の引き出し状態において傾斜するようにしてもよい。
【００４３】
以上説明した引出収納具１は、ロック装置４における規制係合部４ｂに対する被係合部４ａの係合によって、収納状態の引出本体２の振動による引出本体２の飛び出しを防止できる。また、引出本体２の引き出し時において、前板２０を持ち上げることで被係合部４ａの規制係合部４ｂに対する後方からの接触係合が解除され、引出本体２を引き出すことができる。
【００４４】
このロック装置４は、被係合部４ａを、引出収納具１の基本的な構成部材である引出本体２の底板２０の前端とし、規制係合部４ｂを、引出収納具１の基本的な構成部材である棚口桟３４に一体に突設してなるものであって、従来技術のような複雑、且つ多数の部材を必要とせず、極めて簡易な構造で振動による引出本体２の飛び出しを防止できるものである。
【００４５】
したがって、このような簡易な構造のロック装置４で振動による引出本体２の飛び出しの防止を達成したことによって、このロック装置４の小型化や各種コストの低減ができるとともに、ロック装置４の誤作動を防止できる。そして、ロック装置４の誤作動を防止することで、平常時における引出本体２の開閉を確実にできる。
【００４６】
また、引出収納具１の基本的な構成部材であるすり桟３５を案内支持部とすることによっても、各種コストの低減に貢献することができる。
【符号の説明】
【００４７】
１：引出収納具  ２：引出本体  ３：収納具本体  ３ａ：引出収納部  ４：ロック装置
４ａ：被係合部  ４ｂ：規制係合部  ２３：底板  ３４：棚口桟  
３５：すり桟（案内支持部）
【図１】
0005659142.tif 000002
【図２】
0005659142.tif 000003